(57)【特許請求の範囲】
【請求項１】
水平方向または実質的に水平方向に回動するハンドルを有する開閉器の当該ハンドルを索縄体によって下方から操作できるようにしたハンドル操作補助装置であって、
開閉器またはその近傍に取り付けるための取付手段と、
索縄体の方向を水平方向または実質的に水平方向から下方向へ変えるための手段と、
を備えており、
索縄体の方向を水平方向または実質的に水平方向から下方向へ変えるための手段は、ハンドルの回動に伴う索縄体の位置の変化に追従する索縄体案内手段を備えており、索縄体案内手段は転動体を備えている、
開閉器のハンドル操作補助装置。
【請求項２】
水平方向または実質的に水平方向に回動するハンドルを有する開閉器の当該ハンドルを索縄体によって下方から操作できるようにしたハンドル操作補助装置であって、
固定物に固定して取り付けるための取付部材と、
上記取付部材に取り付けられ、索縄体の方向を水平方向または実質的に水平方向から下方向へ変えるための補助装置本体と、
を備えており、
上記補助装置本体は、
ハンドルの回動に伴う索縄体の位置の変化の幅に対応する長さを有する軸と、
上記軸に回転可能に設けてあり、索縄体の位置の変化に追従して当該軸の長さ方向に移動可能な転動体と、
を備え、
ハンドルを操作する際には、転動体が索縄体の位置の変化に追従して軸の長さ方向に移動し、索縄体が当該長さ方向に対して常時直角の向きを有するようにしてある、
開閉器のハンドル操作補助装置。
【請求項３】
水平方向または実質的に水平方向に回動するハンドルを有する開閉器の当該ハンドルを下方から操作するハンドル操作方法であって、
索縄体の方向を水平方向または実質的に水平方向から下方向へ変え、ハンドルの回動に伴う索縄体の位置の変化に伴って索縄体案内手段が移動するようにした、
開閉器のハンドル操作方法。
【発明の詳細な説明】
【０００１】
【発明の属する技術分野】
本発明は、電柱等に設けてある開閉器のハンドルを操作する際に使用するハンドル操作補助装置及びハンドル操作方法に関する。更に詳しくは、水平方向に回動するハンドルを有する開閉器でも、操作ロープ等によって地上などからハンドルの操作が簡単にできるようにするものに関する。
【０００２】
【従来技術】
通常、開閉器は電柱等の上部にて、ハンドルを側面に位置させて縦方向に回動可能に設けてある。この場合の開閉器では、ハンドルの両端に操作ロープをそれぞれ垂下させて取り付け、この操作ロープを下方に引っ張ることで、地上に居ながら上記ハンドルの操作ができる。
【０００３】
ところで開閉器の中には、ハンドルが側面でなく下面に位置させて設けてあるものがある。この場合の開閉器は、ハンドルの回動方向が水平方向になるので、上記したように操作ロープを垂下させて引っ張ってもハンドルは操作できない。従って、このように設けられたハンドルは、作業者が電柱を昇ったりリフトに乗ったりして、開閉器に近づいて操作されている。
【０００４】
【発明が解決しようとする課題】
しかし、上記したハンドルが水平方向に回動するようにしてある開閉器には、次のような課題があった。
即ち、電柱を昇ったりリフトに乗ったりして開閉器に近づかなければハンドルが操作できなかったので、ハンドルの操作に多大な手間がかかっていた。従って、例えば、緊急を要する場合等において、迅速に対応できなかった。
【０００５】
（目  的）
本発明の目的は、水平方向に回動するハンドルを有する開閉器のハンドルの操作が、地上などから操作ロープ等によって簡単にできるようにすることにある。
【０００６】
【課題を解決するための手段】
上記目的を達成するために講じた本発明の手段は次のとおりである。
第１の発明にあっては、
水平方向または実質的に水平方向に回動するハンドルを有する開閉器の当該ハンドルを索縄体によって下方から操作できるようにしたハンドル操作補助装置であって、
開閉器またはその近傍に取り付けるための取付手段と、
索縄体の方向を水平方向または実質的に水平方向から下方向へ変えるための手段と、
を備えており、
索縄体の方向を水平方向または実質的に水平方向から下方向へ変えるための手段は、ハンドルの回動に伴う索縄体の位置の変化に追従する索縄体案内手段を備えており、索縄体案内手段は転動体を備えている、
開閉器のハンドル操作補助装置である。
【０００７】
第２の発明にあっては、
水平方向または実質的に水平方向に回動するハンドルを有する開閉器の当該ハンドルを索縄体によって下方から操作できるようにしたハンドル操作補助装置であって、
固定物に固定して取り付けるための取付部材と、
上記取付部材に取り付けられ、索縄体の方向を水平方向または実質的に水平方向から下方向へ変えるための補助装置本体と、
を備えており、
上記補助装置本体は、
ハンドルの回動に伴う索縄体の位置の変化の幅に対応する長さを有する軸と、
上記軸に回転可能に設けてあり、索縄体の位置の変化に追従して当該軸の長さ方向に移動可能な転動体と、
を備え、
ハンドルを操作する際には、転動体が索縄体の位置の変化に追従して軸の長さ方向に移動し、索縄体が当該長さ方向に対して常時直角の向きを有するようにしてある、
開閉器のハンドル操作補助装置である。
【０００８】
第３の発明にあっては、
水平方向または実質的に水平方向に回動するハンドルを有する開閉器の当該ハンドルを下方から操作するハンドル操作方法であって、
索縄体の方向を水平方向または実質的に水平方向から下方向へ変え、ハンドルの回動に伴う索縄体の位置の変化に伴って索縄体案内手段が移動するようにした、
開閉器のハンドル操作方法である。
【００１３】
本明細書でいう「索縄体」としては、例えば、ロープ、ケーブル、ワイヤー、索、紐、綱、縄、チェーン（鎖）、その他牽引手段を挙げることができる。
【００１４】
（作  用）
本発明に係るハンドル操作補助装置は、開閉器またはその近傍に取り付けて使用する。ハンドル操作補助装置によれば、ハンドルに設けた索縄体の方向を水平方向または実質的に水平方向から下方向へ変えることができる。これにより、例えば、開閉器が電柱等の上部に設けてあるような場合では、索縄体によってハンドルが開閉器の下方から操作可能である。
【００１５】
ハンドルの回動に伴う索縄体の位置の変化に追従する索縄体案内手段を備えているものは、索縄体の動きによって生じる余計な力を逃がして、索縄体と索縄体案内手段にかかる摩擦力が小さくできる。これにより索縄体は、余計な負荷がかからない状態で、索縄体案内手段が索縄体の位置の変化に追従して移動しないものよりも軽い力で操作できる。
【００１６】
索縄体案内手段が転動体を備えているものは、上記した摩擦力が更に小さくでき、より余計な負荷がかからない状態で操作できる。
【００１７】
【発明の実施の形態】
本発明の実施の形態を図面に基づき更に詳細に説明する。
図１は本発明に係るハンドル操作補助装置の一実施の形態を示す使用状態斜視説明図、
図２は図１に示すハンドル操作補助装置の分解斜視説明図、
図３は図１に示す状態を下方から見た底面視説明図である。
【００１８】
符号Ｈはハンドル操作補助装置を示している。ハンドル操作補助装置Ｈは、開閉器またはその近傍に取り付けるための取付手段である取付部材１と、操作ロープの方向を水平方向または実質的に水平方向から下方向へ変えるための手段である補助装置本体２を備えている。取付部材１は電柱等に取り付けて使用される。補助装置本体２は取付部材１に固定して使用される。
【００１９】
取付部材１は一対の挟持部材１０，１０ａを備えている。挟持部材１０，１０ａは、電柱等の外形状に沿うように形成してある曲部１００，１００ａと、曲部１００，１００ａの両端に設けてある所要幅の平板部１０１，１０１ａを備えている。平板部１０１，１０１ａには貫通孔１０２，１０２ａが形成してある。このうち貫通孔１０２ａの外側には、孔を対応させてナットＮ１，Ｎ１が固着してある。また、平板部１０１，１０１ａと平板部１０１，１０１ａ寄りの曲部１００，１００ａの上下端部には、やや外方に張り出して補強部１０３，１０３ａが設けてある。
【００２０】
一方の挟持部材１０ａには、補助装置本体２を固定するためのブラケット部１１が、曲部１００ａの中央から外方に張り出して設けてある。ブラケット部１１は、二枚の板状体１１０を並設し、板状体１１０で挟まれた先部に取着部１１１を設けて形成してある。取着部１１１は、長方形状の薄板を略「口」字状に折り曲げ、所要の平面部を板状体１１０の上縁部に沿わせて、開口した両側方を板状体１１０の先部で塞ぐようにして形成してある。取着部１１１の上面と下面には貫通孔１１２，１１３が形成してある。
【００２１】
取付部材１は、挟持部材１０，１０ａで電柱等を挟み、貫通孔１０２側からボルトＢ１を差し込んで貫通孔１０２ａを通してナットＮ１に螺合することで、電柱等に固定して取り付けられる。
【００２２】
補助装置本体２は、取着部１１１に取り付けられる取着基台２０と、索縄体案内手段である操作ロープ案内部材２１を備えている。取着基台２０は、長方形状の薄板を略「Ｌ」字状に折り曲げて形成してある載置部２００と、長方形状の薄板の一端側を略直角に折り曲げて幅広面と幅狭面が形成してある腕部２０１を備えている。取着基台２０は、載置部２００の所要の平面部が上面となるように両側部に腕部２０１の幅狭面を固着して形成してある。載置部２００の上面となる平面部には、貫通孔２０２が形成してある。また、腕部２０１の幅広面と幅狭面との間には、平板状の補強部材２０３が架け渡して溶接によって固着してある。
【００２３】
操作ロープ案内部材２１は腕部２０１の幅広面に設けてある。操作ロープ案内部材２１は、長方形状の薄板を略「コ」字状に折り曲げて形成してある軸受部材２１０を備えており、軸受部材２１０の対向する面間には軸２１１が水平方向に架け渡して設けてある。軸２１１はハンドル８０の回動に伴う索縄体である操作ロープの位置の変化の幅に対応する長さを有している。
【００２４】
軸２１１には周方向に回転可能で、かつ長さ方向（水平方向）にスライド可能な転動体であるローラー２１２が設けてある。ローラー２１２の両側には、操作ロープの位置の変化によってローラー２１２自体が長さ方向に移動されるようにし、この操作ロープがローラー２１２から外れないようにする案内壁２１３が形成してある。また、軸受部材２１０の上部側には、線材を対向する面間に架け渡して、操作ロープが上方よりローラー２１２から外れないようにするためのガード部２１４が設けてある。
【００２５】
操作ロープ案内部材２１は、軸２１１をハンドル８０の回動に伴う操作ロープの位置の変化の幅に対応させて設けてある。
【００２６】
補助装置本体２は、載置部２００を取着部１１１の上部に載せ、上方から貫通孔２０２と貫通孔１１２にボルトＢ２を差し込み、貫通孔１１３を通して出た部分に座金ＺとナットＮ２を螺合させることで、取付部材１に固定して取り付けられる。
【００２７】
（作  用）
図１ないし図３を参照して本実施の形態で示すハンドル操作補助装置Ｈの作用を説明する。
ハンドル操作補助装置Ｈは、開閉器８が設けてある電柱Ｄにおいて、ローラー２１２がハンドル８０と略同じ高さの位置になるように取り付けられる。操作ロープ９０，９１は、ハンドル操作補助装置Ｈの下側からローラー２１２と軸受部材２１０の隙間より導入し、更にローラー２１２上に載せた状態で、ローラー２１２とガード部２１４の隙間より導出してハンドル８０の端部と接続して取り付けられる。
【００２８】
開閉器８のハンドル８０は、通常状態では図１及び図３の実線で示すように表示針８１が「自動」の方向を指すようにしてある。この状態でローラー２１２は軸２１１の内側寄りの端部に位置しており、操作ロープ９０，９１は案内壁２１３に実質的に接触していない状態になっている。
【００２９】
ハンドル８０の表示針８１が指す方向を「自動」から「手動入」に切り替える操作について説明する。
垂れた状態の操作ロープ９０を下方（縦方向）に引っ張る。操作ロープ９０は、ローラー２１２がハンドル８０と略同じ高さの位置に設けてあり、このローラー２１２上に載せてあるので、引張方向が縦方向から水平方向に変換される。これによりハンドル８０が水平方向に回動する。
【００３０】
ハンドル８０は中央部が回動中心であるので、回動することにより操作ロープ９０，９１が取り付けてある操作ロープ取付部８００は、外側に移動する（図３で示す想像線▲１▼）。このように操作ロープ９０が外側に移動することにより、ローラー２１２の外側の案内壁２１３に外方向に押す力が働き、ローラー２１２は軸２１１をスライドして外方向に移動する。このとき操作ロープ９０は、軸２１１がハンドル８０の回動に伴う操作ロープ９０の位置の変化の幅に対応させて設けてあるので、軸２１１の長さ方向に対して直角の向きを有している。
【００３１】
なお、ハンドル８０が図３の想像線▲１▼で示す位置にある場合では、ローラー２１２は軸２１１の外側寄りの端部に位置しており、操作ロープ９０は案内壁２１３に実質的に接触していない状態になっている。
【００３２】
更に、操作ロープ９０を引っ張ることにより、ハンドル８０が回動する。こうして表示針８１が「手動入」を指すように切り替えられる（図３で示す想像線▲２▼）。このとき操作ロープ９０，９１が取り付けてある操作ロープ取付部８００は、再び内側に移動する。このように操作ロープ９０が内側に移動することにより、ローラー２１２の内側の案内壁２１３に内方向に押す力が働き、ローラー２１２は内方向に移動する。このときも操作ロープ９０は、軸２１１の長さ方向に対して直角の向きを有している。そして、ローラー２１２はハンドル８０が回動される前の元の位置に戻る。
以上により、ハンドル８０の切り替えが完了する。
【００３３】
なお、操作ロープ９０を引っ張ってハンドル８０を回動させる際において、操作ロープ９１にも所要の張力が作用しており張った状態である場合では、操作ロープ９１と操作ロープ９１が載ったローラー２１２も、操作ロープ９０と操作ロープ９０が載ったローラー２１２と同じように動いている。また、この場合での操作ロープ９０と操作ロープ９１は、間隔は変わるが略平行な状態になっている。
【００３４】
また、ハンドル８０の表示針８１が指す方向を「手動入」から「自動」に切り替える場合は、操作ロープ９１を下方に引っ張れば良い。操作ロープ９１を引っ張ることでハンドル８０は上記した場合と逆方向に回動する。この操作ロープ９１を引っ張ったときの作用は、操作ロープ９０を引っ張った場合と同じであるので、説明は省略する。
【００３５】
このようにハンドル操作補助装置Ｈを使用すれば、水平方向に回動するハンドル８０を有する開閉器８のハンドルの操作が、地上等から操作ロープによって簡単にできる。つまり、作業者が電柱Ｄを昇ったりリフトに乗ったりする作業がなくなり、ハンドル８０操作の際の手間が軽減できる。従って、例えば、緊急を要する場合等においても、迅速に対応できる。
【００３６】
また、ハンドル８０が回動して操作ロープ９０，９１の操作ロープ取付部８００が外側または内側に移動する際には、ローラー２１２がこの操作ロープ９０，９１の動きに追従してスライドするようになっており、操作ロープ９０，９１が軸２１１の長さ方向に対して常時直角の向きを有するようになるので、操作ロープ９０，９１の動きによって生じる余計な力を逃がして、操作ロープ９０，９１とローラー２１２にかかる摩擦力が小さくできる。これにより操作ロープ９０，９１は、余計な負荷がかからない状態で、ローラー２１２が移動しないものよりも軽い力で引っ張ることができる。
【００３７】
本実施の形態でハンドル操作補助装置Ｈは、電柱Ｄに取り付けてある開閉器８に対して使用したが、これは限定するものではなく、電柱以外の箇所に設けてある開閉器に対しても使用できる。
【００３８】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【００３９】
【発明の効果】
本発明は上記構成を備え、次の効果を有する。
（ａ）本発明に係るハンドル操作補助装置よれば、ハンドルに設けた索縄体の方向を水平方向または実質的に水平方向から下方向へ変えることができる。これにより、例えば、開閉器が電柱等の上部に設けてあるような場合では、索縄体によってハンドルが開閉器の下方から操作可能である。つまり、ハンドル操作補助装置を使用すれば、水平方向に回動するハンドルを有する開閉器のハンドルの操作が、地上等から索縄体によって簡単にできる。こうして作業者が電柱を昇ったりリフトに乗ったりする作業がなくなり、ハンドル操作の際の手間が軽減できる。従って、例えば、緊急を要する場合等においても、迅速に対応できる。
【００４０】
（ｂ）ハンドルの回動に伴う索縄体の位置の変化に追従する索縄体案内手段を備えているものは、索縄体の動きによって生じる余計な力を逃がして、索縄体と索縄体案内手段にかかる摩擦力が小さくできる。これにより索縄体は、余計な負荷がかからない状態で、索縄体案内手段が索縄体の位置の変化に追従して移動しないものよりも軽い力で操作できる。
【００４１】
（ｃ）索縄体案内手段が転動体を備えているものは、上記した摩擦力が更に小さくでき、より余計な負荷がかからない状態で操作できる。
【図面の簡単な説明】
【図１】本発明に係るハンドル操作補助装置の一実施の形態を示す使用状態斜視説明図。
【図２】図１に示すハンドル操作補助装置の分解斜視説明図。
【図３】図１に示す状態を下方から見た底面視説明図。
【符号の説明】
Ｈ  ハンドル操作補助装置
Ｂ１，Ｂ２  ボルト
Ｎ１，Ｎ２  ナット
Ｄ  電柱
Ｚ  座金
１  取付部材
１０，１０ａ  挟持部材
１００，１００ａ  曲部
１０１，１０１ａ  平板部
１０２，１０２ａ  貫通孔
１０３，１０３ａ  補強部
１１  ブラケット部
１１０  板状体
１１１  取着部
１１２  貫通孔
１１３  貫通孔
２  補助装置本体
２０  取着基台
２００  載置部
２０１  腕部
２０２  貫通孔
２０３  補強部材
２１  操作ロープ案内部材
２１０  軸受部材
２１１  軸
２１２  ローラー
２１３  案内壁
２１４  ガード部
８  開閉器
８０  ハンドル
８００  操作ロープ取付部
８１  表示針
９０  操作ロープ
９１  操作ロープ
【図１】
0003975701.tif 000002
【図２】
0003975701.tif 000003
【図３】
0003975701.tif 000004